(57)【要約】【課題】機器本体に外部デバイスの接続が可能な携帯端末や携帯電話などの電子機器において、着脱式キーボードなど、外部デバイスの装着状態に応じて本体表示部における表示の向きを適切に変更設定する。【解決手段】携帯情報端末１０を縦長にし本体単体で使用する場合、当該本体上のキー入力部１６の限られたキーで各種機能の入力操作および文字入力操作を行う一方で、外部テンキーボード１２を接続一体化して横長に使用する場合、または外部ＱＷＥＲＴＹキーボード１４を接続一体化して横長に使用する場合、種々の文字・数字・記号の大量入力が容易に行えるだけでなく、表示部１５に対する表示データの表示の向きを回転制御することで、横長にした表示画面によって種々の表示データを見ることができ、例えばメール文書の大量のやり取りやＷｅｂサイトの閲覧に適した仕様を実現できる。【選択図】      図１
2008186427.tif 000002
【特許請求の範囲】
【請求項１】
表示データを表示画面に表示する表示手段と、
外部機器と接続する外部機器接続手段と、
この外部機器接続手段により外部機器と接続された場合に、当該外部機器の方向と前記表示手段の表示画面に対する表示データの表示の方向とに応じて当該表示画面に表示させる表示データの表示の方向を変更制御する表示方向制御手段と、
を備えたことを特徴とする電子機器。
【請求項２】
前記外部機器接続手段は、前記外部機器本体に設けられた接続コネクタと接続する当該電子機器の本体ケース面に設けられた接続コネクタであって、
前記表示方向制御手段は、前記外部機器接続手段により外部機器と接続された状態での当該外部機器の方向に応じて予め定められた表示の方向に前記表示手段の表示画面に表示させる表示データの表示の方向を変更制御する、
ことを特徴とする請求項１に記載の電子機器。
【請求項３】
前記外部機器は、当該電子機器の本体ケースにそのケース正面またはケース裏面に沿わせて着脱自在に嵌め合わせて装着する嵌合構造を有し、
この嵌合構造による前記外部機器の当該電子機器の本体ケースへのそのケース正面に沿わせた嵌め合わせ装着に伴い当該電子機器の接続コネクタに前記外部機器の接続コネクタが接続されることを特徴とする請求項２に記載の電子機器。
【請求項４】
前記外部機器は、当該電子機器の本体ケースに沿わせて着脱自在に嵌め合わせて装着する嵌合構造と、この嵌合構造により前記外部機器を当該電子機器の本体ケースに沿わせて装着した状態で該外部機器の操作板を当該電子機器の本体ケース正面側の使用位置と裏面側の収納位置との間で展開させる展開構造とを有し、
前記嵌合構造による前記外部機器の当該電子機器の本体ケースに沿わせた嵌め合わせ装着に伴い当該電子機器の接続コネクタに前記外部機器の接続コネクタが接続されることを特徴とする請求項２に記載の電子機器。
【請求項５】
当該電子機器の方向を検出する機器方向検出手段を備え、
前記外部機器接続手段は、前記外部機器の無線通信手段と通信接続する無線通信部であって、
前記表示方向制御手段は、前記無線通信部により受信される前記外部器機内の方向検出手段により検出された該外部機器の方向と前記機器方向検出手段により検出された当該電子機器の方向とに応じて設定された表示の方向に前記表示手段の表示画面に表示させる表示データの表示の方向を変更制御する、
ことを特徴とする請求項１に記載の電子機器。
【発明の詳細な説明】
【技術分野】
【０００１】
本発明は、機器本体に外部デバイスの接続が可能な携帯端末や携帯電話などの電子機器に関する。
【背景技術】
【０００２】
一般に、ＰＤＡ(Personal Digital Assistant)と称される携帯情報端末や携帯電話などの携帯情報機器では、その本体ケースが小型であるため、多様な機能を狭いスペースで如何に実現するかが重要になっている。
【０００３】
このため、携帯情報端末では、例えばタッチパネル式の表示画面にキーボードを表示させてユーザによるタッチ操作で文字，数字，記号の各種のキー入力を行わせたり、携帯電話では、テンキーをベースにした文字めくり方式のキーボードにて各種のキー入力を行わせたりしている。
【０００４】
そして近年、このような携帯情報機器では、通話機能だけでなくメールの送受信機能、Ｗｅｂサイトの閲覧機能をも有しており、電話番号などの数字文字を入力する頻度よりも言語文字を入力する頻度の方が格段に高くなっている。
【０００５】
そこで、携帯電話の本体ケースに対し別体で着脱自在に構成され、必要に応じて装着されて使用される文字入力用のフルキーボードユニットが考えられている（例えば、特許文献１参照。）。
【特許文献１】特開２００２−０４１２１４号公報
【発明の開示】
【発明が解決しようとする課題】
【０００６】
前記従来の携帯電話用に着脱自在に構成したフルキーボードユニットを使用すれば、容易にメール文書などの大量の文字入力を行うことができるものの、当該フルキーボードユニットの使用に際し、そのキーボードユニットの向きと表示画面に対する表示データの表示の向きはと全く考慮されてなく、元々本体ケースに組み込まれている文字めくり方式のキーボードの向きに対応させて表示データの表示の向きも予め定められている。
【０００７】
このため、縦長の表示画面をそのまま縦に正立させて使用する携帯電話では、前記フルキーボードユニットを装着して使用した場合でも表示の向きは縦長のままであり、例えばメール文書の入力やＷｅｂサイトの閲覧に適したキー入力方向とデータ表示方向との関係を得ることができない。
【０００８】
本発明は、このような課題に鑑みなされたもので、着脱式キーボードなど、外部デバイスの装着状態に応じて本体表示部における表示の向きを適切に変更設定することが可能になる電子機器を提供することを目的とする。
【課題を解決するための手段】
【０００９】
本発明に係る電子機器は、表示データを表示画面に表示する表示手段と、外部機器と接続する外部機器接続手段と、この外部機器接続手段により外部機器と接続された場合に、当該外部機器の方向と前記表示手段の表示画面に対する表示データの表示の方向とに応じて当該表示画面に表示させる表示データの表示の方向を変更制御する表示方向制御手段とを備えたことを特徴としている。
【００１０】
また、本発明に係る電子機器において、前記外部機器接続手段は、前記外部機器本体に設けられた接続コネクタと接続する当該電子機器の本体ケース面に設けられた接続コネクタであって、前記表示方向制御手段は、前記外部機器接続手段により外部機器と接続された状態での当該外部機器の方向に応じて予め定められた表示の方向に前記表示手段の表示画面に表示させる表示データの表示の方向を変更制御することを特徴としている。
【００１１】
また、本発明に係る電子機器において、前記外部機器は、当該電子機器の本体ケースにそのケース正面またはケース裏面に沿わせて着脱自在に嵌め合わせて装着する嵌合構造を有し、この嵌合構造による前記外部機器の当該電子機器の本体ケースへのそのケース正面に沿わせた嵌め合わせ装着に伴い当該電子機器の接続コネクタに前記外部機器の接続コネクタが接続されることを特徴としている。
【００１２】
また、本発明に係る電子機器において、前記外部機器は、当該電子機器の本体ケースに沿わせて着脱自在に嵌め合わせて装着する嵌合構造と、この嵌合構造により前記外部機器を当該電子機器の本体ケースに沿わせて装着した状態で該外部機器の操作板を当該電子機器の本体ケース正面側の使用位置と裏面側の収納位置との間で展開させる展開構造とを有し、前記嵌合構造による前記外部機器の当該電子機器の本体ケースに沿わせた嵌め合わせ装着に伴い当該電子機器の接続コネクタに前記外部機器の接続コネクタが接続されることを特徴としている。
【００１３】
さらに、本発明に係る電子機器は、当該電子機器の方向を検出する機器方向検出手段を備え、前記外部機器接続手段は、前記外部機器の無線通信手段と通信接続する無線通信部であって、前記表示方向制御手段は、前記無線通信部により受信される前記外部器機内の方向検出手段により検出された該外部機器の方向と前記機器方向検出手段により検出された当該電子機器の方向とに応じて設定された表示の方向に前記表示手段の表示画面に表示させる表示データの表示の方向を変更制御することを特徴としている。
【発明の効果】
【００１４】
本発明によれば、着脱式キーボードなど、種々様々な外部デバイスの装着状態に応じて本体表示部における表示の向きを適切に変更設定することが可能になる電子機器を提供できる。
【発明を実施するための最良の形態】
【００１５】
以下図面により本発明の実施の形態について説明する。
【００１６】
図１は、本発明の電子機器の実施形態に係る携帯情報端末１０の外観構成を示す図であり、同図（Ａ１）（Ａ２）は本体下端の接続コネクタ１１Ｄを介して外部テンキーボード１２左側面のコネクタ１３Ｌと接続した状態を示す正面図、同図（Ｂ１）（Ｂ２）は本体左側面の接続コネクタ１１Ｌを介して外部ＱＷＥＲＴＹキーボード１４上端のコネクタ１４Ｕと接続した状態を示す正面図である。
【００１７】
前記携帯情報端末１０は、本体単体では長手方向を正立させて縦長に使用されるもので、その表面上には同縦長の液晶表示部（ＬＣＤ）１５が設けられると共に当該液晶表示部（ＬＣＤ）１５下部の本体下端との間のスペースにはキー入力部１６が設けられる。
【００１８】
一方、図１（Ａ１）（Ａ２）に示すように、外部テンキーボード１２は、前記携帯情報端末１０下端を右向きにした接続コネクタ１１Ｄに当該外部テンキーボード１２左側面のコネクタ１３Ｌを接続して装着することでそのテンキー１７の配列が正立し横長に使用される。
【００１９】
また、図１（Ｂ１）（Ｂ２）に示すように、外部ＱＷＥＲＴＹキーボード１４は、前記携帯情報端末１０左側面の接続コネクタ１１Ｌを下向きにし、当該外部ＱＷＥＲＴＹキーボード１４上端のコネクタ１４Ｕを接続して装着することでそのフルキー１８の配列が正立し横長に使用される。
【００２０】
この際、携帯情報端末１０側では、外部テンキーボード１２または外部ＱＷＥＲＴＹキーボード１４の接続を検出することでその横長での使用状態に設定されたことを判別し、表示部１５に対する表示データの表示の方向を右回りに９０度回転させた状態に変更制御する。
【００２１】
すなわち、前記携帯情報端末１０を縦長にして本体単体で使用する場合には、当該本体上のキー入力部１６における限られたキーによって各種機能の入力操作および文字入力操作を行う一方で、図１（Ａ２）で示したように、外部テンキーボード１２を接続一体化して横長に使用する場合、または図１（Ｂ２）で示したように、外部ＱＷＥＲＴＹキーボード１４を接続一体化して横長に使用する場合には、種々の文字・数字・記号の大量入力が容易に行えるだけでなく、表示画面を横長にした表示部１５によって種々の表示データを正しく見ることができるので、例えばメール文書の大量のやり取りやＷｅｂサイトの閲覧に適した仕様を実現することができる。
【００２２】
図２は、前記携帯情報端末１０の電子回路の構成を示すブロック図である。
【００２３】
この携帯情報端末１０の電子回路は、コンピュータであるＣＰＵ２０を備えている。
【００２４】
このＣＰＵ２０は、ＲＯＭ２１に予め記憶された端末制御プログラム、あるいは外部通信部２２や無線通信部２３を介して外部の情報機器から受信され記憶された端末制御プログラムに従い、ＲＡＭ２４を作業用のメモリとして回路各部の動作を制御する。
【００２５】
このＣＰＵ２０には、前記液晶表示部１５、キー入力部１６、ＲＯＭ２１、外部通信部２２、無線通信部２３、ＲＡＭ２４が接続される他に、当該端末１０本体の方位・加速度を検出し前記外部テンキーボード１２や外部ＱＷＥＲＴＹキーボード１４などの外部接続デバイスとの相対的な向きや位置関係を判別するための方位・加速度センサ部２５、予め記憶されたデジタル音声データや通信によりダウンロードされたデジタル音声データを出力するためのＤ／Ａ変換部２６を介したスピーカ２７が接続される。
【００２６】
前記ＲＯＭ２１には、当該携帯情報端末１０にて機能する全てのアプリケーションプログラムが端末制御プログラムとして予め記憶される他に、前記外部テンキーボード１２や外部ＱＷＥＲＴＹキーボード１４などの外部接続デバイスとの接続に伴い起動されその使用環境を整えるための外部機器対応アプリケーションプログラムも記憶登録される。
【００２７】
さらに、前記ＣＰＵ２０にはＣＯＤＥＣ２８が接続され、このＣＯＤＥＣ２８からＡＦＥ(Analog Front End)２９を介してアンテナ３０が接続される。またＣＯＤＥＣ２８には、通話の音声データを入出力するためのＡ／Ｄ変換部３１を介したマイク３２、およびＤ／Ａ変換部３３を介したスピーカ３４が接続される。
【００２８】
そして、これら各部の電子回路は、電池３５あるいは外部電源３６から供給される電源電圧に基づき変圧・充電回路３７を介した適切な電圧で駆動される。
【００２９】
図３は、前記携帯情報端末１０と接続して使用される外部接続デバイス（１２）（１４）の電子回路の構成を示すブロック図である。
【００３０】
この外部接続デバイスは、メモリ内蔵のＣＰＵ４０を備えている。
【００３１】
このＣＰＵ４０には、トライステートバッファ４１を介して前記テンキーボード１２あるいはフルキーボード１８における各キー入力位置を検出するためのキーマトリクス４２が接続され、またポインタ４３がＡ／Ｄ変換部４４を介して接続される。
【００３２】
さらに、当該外部接続デバイスの方位・加速度を検出し前記携帯情報端末１０に対してその相対的な向きや位置関係を通知したり、当該外部接続デバイスの着脱・開閉などの状態を前記携帯情報端末１０に対して通知したりするための各種センサ部４５が必要に応じて備えられ、前記ＣＰＵ４０に接続される。
【００３３】
また、この外部接続デバイスには指紋認証装置などのユーザ認証デバイス４６やセキュリティデバイス４７が必要に応じて備えられ、前記ＣＰＵ４０に接続される。
【００３４】
前記ＣＰＵ４０は通信Ｉ／Ｆ４８を介して前記携帯情報端末１０と通信接続されるもので、この外部接続デバイスが図１（Ａ１）（Ａ２）で示したように外部テンキーボード１２である場合には、その接続コネクタ１３Ｌを携帯情報端末１０の下端接続コネクタ１１Ｄに装着することで当該端末１０内の外部通信部２２と通信接続され、また図１（Ｂ１）（Ｂ２）で示したように外部ＱＷＥＲＴＹキーボードである場合には、その接続コネクタ１４Ｕを携帯情報端末１０の左側接続コネクタ１１Ｌに装着することで当該端末１０内の外部通信部２２と通信接続される。
【００３５】
そして、これら外部接続デバイス（１２）（１４）における各部の電子回路は、電池４９あるいは外部電源５０から供給される電源電圧に基づき変圧回路５１を介した適切な電圧で駆動される。
【００３６】
次に、前記構成の携帯情報端末１０と外部接続デバイス（１２）（１４）との接続に伴う表示データの回転制御動作について説明する。
【００３７】
図４は、前記携帯情報端末１０における外部接続デバイス（１２）（１４）との接続に伴い実行される外部機器接続処理を示すフローチャートである。
【００３８】
例えば前記図１（Ａ１）（Ａ２）で示したように携帯情報端末１０の下端接続コネクタ１１Ｄに外部テンキーボード（外部接続デバイス）１２の左側接続コネクタ１３Ｌを接続して装着すると、当該外部テンキーボード１２のＣＰＵ４０に内蔵記憶されたデバイス情報（種別など）が読み出されて取得されると共にそのドライバが組み込まれる（ステップＳ１，Ｓ２）。
【００３９】
すると、前記接続された外部テンキーボード（外部接続デバイス）１２が、既に通信可能な機器としてＲＡＭ２４内に情報登録済みであるか否か判断され（ステップＳ３）、登録済みでないと判断された場合には（ステップＳ３（Ｎｏ））、当該外部テンキーボード１２のＣＰＵ４０や各種センサ部４５から取得される機器ＩＤやセンサ検出情報などの登録情報が取り込まれ、ＲＡＭ２４に登録される（ステップＳ４）。
【００４０】
すると、前記接続登録された外部テンキーボード（外部接続デバイス）１２について、当該外部テンキーボード対応のアプリケーションプログラムがＲＯＭ２１内に予め記憶登録されているか否か判断され（ステップＳ５）、登録されていると判断された場合には（ステップＳ５（Ｙｅｓ））、当該外部テンキーボード対応のアプリケーションプログラムが起動されその使用環境が整えられる（ステップＳ６）。
【００４１】
すると、液晶表示部１５の表示画面に対する現在の表示データの表示方向が、外部接続デバイス接続直前の端末１０単体での使用に対応した表示方向としてＲＡＭ２４に記憶（記録）される（ステップＳ７）。
【００４２】
すると、この携帯情報端末１０の現在の表示データの表示方向に対して、外部テンキーボード（外部接続デバイス）１２が接続された接続コネクタ１１Ｄの位置や前記ステップＳ１やステップＳ４にて取得された当該外部テンキーボード（外部接続デバイス）１２の種別・ＩＤ・センサ検出情報などに基づき、表示方向の回転が必要であるか否か判断される（ステップＳ８）。
【００４３】
そして、前記図１（Ａ１）（Ａ２）で示したような外部テンキーボード１２の接続において、液晶表示部１５の表示画面に対する表示データの表示方向を右回りに９０度回転させる必要があると判断された場合には（ステップＳ８（Ｙｅｓ））、同液晶表示部１５の表示画面に対する表示データの書き込み方向が右回りに９０度回転制御される（ステップＳ９）。
【００４４】
これにより、図１（Ａ２）で示したように、外部テンキーボード１２を接続一体化して横長に使用する場合、または図１（Ｂ２）で示したように、外部ＱＷＥＲＴＹキーボード１４を接続一体化して横長に使用する場合には、種々の文字・数字・記号の大量入力が容易に行えるだけでなく、表示画面を横長にした表示部１５において種々の表示データを正しく見ることができるので、例えばメール文書の大量のやり取りやＷｅｂサイトの閲覧に適した仕様を実現することができる。
【００４５】
図５は、前記携帯情報端末１０に外部接続デバイス（１２）を接続した際に、表示データの回転表示制御が必要な場合と不要な場合との接続構成を対比して示す図である。
【００４６】
すなわち前述したとおり、図５（Ａ１）（Ａ２）に示すように、携帯情報端末１０の下端に設けられた接続コネクタ１１Ｄに対して外部テンキーボード１２の左側面に設けられた接続コネクタ１３Ｌを接続して装着することで、前記携帯情報端末１０を横向きにして使用する場合には、これに応じた表示データの表示方向の回転制御が必要になる。
【００４７】
一方で、図５（Ｂ１）（Ｂ２）に示すように、携帯情報端末１０の右側面に設けられた接続コネクタ１１Ｒに対して外部テンキーボード１２の左側面に設けられた接続コネクタ１３Ｌを接続して装着することで、前記携帯情報端末１０を縦向き（正立）のまま使用する場合には、表示データの表示方向の回転制御が不要である。
【００４８】
このように、携帯情報端末１０に対する外部接続デバイス（１２）（１４）の接続に伴い、表示方向の回転が必要であるか否かは、前述したとおり、当該携帯情報端末１０の現在の表示データの表示方向に対して、外部接続デバイス（１２）（１４）が接続された接続コネクタ（１１Ｄ／１１Ｒ：１３Ｌ）の位置や外部接続デバイス（１２）（１４）から取得された当該デバイスの種別・ＩＤ・センサ検出情報などに基づいて判断することができるが、特に、携帯情報端末１０を縦向き（縦長表示）のまま使用する場合よりも、横向き（横長表示）にして外部接続デバイス（１２）（１４）を接続して使用する方が、メール文書の大量のやり取りやＷｅｂサイトの閲覧に適しているのは言うまでもない。
【００４９】
なお、前記図１及び図５で示した電子機器の実施形態では、携帯情報端末１０に外部接続デバイス（１２）（１４）を接続して使用する構成について説明したが、次の図６、図７を参照して説明するように、折り畳み式携帯電話６０（６０′）に対して外部接続デバイス（外部文字入力キーボード６２）を接続して使用する場合でも、表示方向の回転制御を行うことで、メール文書の大量のやり取りやＷｅｂサイトの閲覧により適した構成とすることができる。
【００５０】
図６は、本発明の電子機器の実施形態に係る折り畳み式携帯電話６０の外観構成を示す図であり、同図（Ａ）（Ｂ）は本体下端の接続コネクタ６１Ｄを介して外部文字入力キーボード６２左側面のコネクタ６３Ｌと接続した状態を示す正面図である。
【００５１】
すなわち、図６に示すように、折り畳み式携帯電話６０を開いて横長にし、当該携帯電話６０の下端に設けられた接続コネクタ６１Ｄに対し、外部文字入力キーボード６２の左側面に設けられた接続コネクタ６３Ｌを接続して装着することでその文字キー６４の配列が正立し携帯電話６０と横長一体にして使用される。
【００５２】
そして、この外部文字入力キーボード６２の接続に伴い、前記同様に外部機器接続処理（図４参照）が実行されることで、横長にした表示部１５の表示画面に対する表示データの表示方向をその横長表示にて正立に見える方向に回転制御できるので、種々の文字・数字・記号の大量入力が容易に行えるだけでなく、例えばメール文書の大量のやり取りやＷｅｂサイトの閲覧に適した仕様を実現することができる。
【００５３】
図７は、本発明の電子機器の実施形態に係る２軸ヒンジの折り畳み式携帯電話６０′の外観構成を示す図であり、同図（Ａ）〜（Ｆ）は本体下端の接続コネクタ６１Ｄを介して外部文字入力キーボード６２左側面の接続コネクタ６３Ｌと接続した状態を示す正面図である。
【００５４】
この場合の２軸ヒンジの折り畳み式携帯電話６０′では、先ず図７（Ａ）（Ｂ）に示すように、キー側ケース６８をベースに表示部側ケース６５をその中間の第１ヒンジ６６を支点として矢印ａに示す方向に展開させた後、同展開された表示部側ケース６５を、さらに図７（Ｃ）（Ｄ）に示すように、前記第１ヒンジ６６と直交する回転方向の第２ヒンジ６７を支点として矢印ｂに示す方向に１８０度回転させる。
【００５５】
このとき、表示部側ケース６５における表示部１５の表示画面は、正面とは反対の裏面を向いた状態となり、この表示画面が裏面を向いたままの状態で同表示部ケース６５を前記第１ヒンジ６６を支点として矢印ｃに示すキー側ケース６８の方向に再度畳み込む。
【００５６】
すると、図７（Ｅ）に示すように、表示部側ケース６５はキー側ケース６８上に畳み込まれて重ねられた状態でその表示部１５の表示画面が正面に露出した状態となる。
【００５７】
このような２軸ヒンジの折り畳み式携帯電話６０′において、前記図６における通常の折り畳み式携帯電話６０と同様に、その本体（キー側ケース６８）下端の接続コネクタ６１Ｄに対して前記外部文字入力キーボード６２左側面の接続コネクタ６３Ｌを接続して装着する。
【００５８】
すると、この外部文字入力キーボード６２の接続に伴い、前記同様に外部機器接続処理（図４参照）が実行されるもので、図７（Ｂ）で示すように、表示部側ケース６５を展開した状態にて前記外部文字入力キーボード６２が接続された場合には、当該表示部側ケース６５の展開状態が検出されることで、前記図６（Ｂ）で示した場合と同様に、表示部１５の表示画面に対する表示データの表示方向が９０度右回りに回転制御される。
【００５９】
さらに、図７（Ｃ）〜（Ｆ）で示したように、表示部ケース６５を１８０度回転させその表示画面を外側へ向けたまま、キー側ケース６８上に折り畳んでその表示画面を露出させた状態で前記外部文字入力キーボード６２が接続された場合にも、当該表示部側ケース６５の回転後の折り畳み状態が検出されることで、その時点での表示部１５の表示画面に対する表示データの表示方向が９０度右回りに回転制御される。
【００６０】
従って、このような２軸ヒンジの折り畳み式携帯電話６０′によってその表示部側ケース６５が展開された状態、あるいは回転されて畳み込まれた何れの状態にあっても、本体ケース（キー側ケース６８）下端の接続コネクタ６１Ｄに対し外部文字入力キーボード６２左側面の接続コネクタ６３Ｌを接続して装着するとこで、その表示データの表示方向を文字キー６４の配列に合わせた横長表示で正立する方向に回転制御することができ、種々の文字・数字・記号の大量入力が容易に行えるだけでなく、例えばメール文書の大量のやり取りやＷｅｂサイトの閲覧に適した仕様を実現することができる。
【００６１】
なお、前記各実施形態では、電子機器である携帯情報端末１０や携帯電話６０（６０′）に接続装着して使用される外部接続デバイスとして、外部テンキーボード１２、外部ＱＷＥＲＴＹキーボード１４、外部文字入力キーボード６２を挙げて説明したが、この外部接続デバイスはキーボードに限られることなく、例えば次の図８に示すように、表示画面上のポインタを移動操作するためのトラックボールデバイス７０（図８（Ｃ）参照）、手書き入力のイメージを表示画面に表示させるためのタッチパッドデバイス７１（図８（Ｄ）参照）、本人確認の情報を取得するための指紋認証デバイス７２（図８（Ｅ）参照）などでもよい。そして、それぞれの外部接続デバイス７０、７１、７２の左側面に設けられた接続コネクタ７０Ｌ、７１Ｌ、７２Ｌを、前記携帯情報端末１０や携帯電話６０（６０′）下端の接続コネクタ１１Ｄ、６１Ｄに接続して装着し、表示部１５を横長表示の状態にして使用する。
【００６２】
図８は、本発明の電子機器に接続されて使用される各種の外部接続デバイスを示す図であり、同図（Ａ）は外部ＱＷＥＲＴＹキーボード１４を示す正面図、同図（Ｂ）は外部文字入力キーボード６２を示す正面図６２、同図（Ｃ）はトラックボールデバイス７０を示す正面図、同図（Ｄ）はタッチパッドデバイス７１を示す正面図、同図（Ｅ）は指紋認証デバイス７２を示す正面図である。
【００６３】
そして、前記何れの種類の外部接続デバイス（１２）（１４）（６２）（７０）（７１）（７２）を接続した場合でも、前記同様の外部機器接続処理（図４参照）による表示制御を行い、横長にした表示画面にその表示データが正しく正立して表示されるようその表示の方向を回転制御することで、各外部接続デバイスを接続一体にした状態での携帯情報端末１０や携帯電話６０（６０′）を最適な環境にして使用することができる。
【００６４】
なお、前記各実施形態において説明した外部接続デバイス（１２）（１４）（６２）（７０）（７１）（７２）は、その何れの場合も電子機器（１０）（６０）（６０′）に対する接続装着時にのみその相互の接続コネクタを介して当該電子機器に一体化される構成としたが、例えば次の図９に示すように、電子機器である携帯電話６０のキー側ケース６８に対し、その使用時／未使用時共にキャップ式に装着される文字入力キーボード（外部接続デバイス）６２Ａとして構成とし、当該外部接続デバイスの取扱い性を向上させるだけでなく、安定した接続形態が得られるようにしてもよい。
【００６５】
図９は、本発明の電子機器の実施形態に係る携帯電話６０とこれに装着されて保持または使用されるキャップ式の文字入力キーボード（外部接続デバイス）６２Ａを示す正面図である。
【００６６】
このキャップ式の文字入力キーボード６２Ａは、その文字キー６４が配列されたキーボード面の上辺部および下辺部のそれぞれに、携帯電話６０のキー側ケース６８の厚みに応じた嵌合枠７３ａ，７３ｂを有すると共に、右辺部にも同キー側ケース６８の厚みに応じた端部嵌合枠７４を有する。
【００６７】
このキャップ式の文字入力キーボード６２Ａのキーボード面を前記携帯電話６０のキー側ケース６８の裏面方向に向けて装着する未使用保持時（図９（Ａ）（Ｂ）参照）および正面方向に向けて装着する使用時（図９（Ｃ）（Ｄ）参照）の何れにおいても、当該キー側ケース６８の下端部から文字入力キーボード６２Ａの嵌合枠７３ａ，７３ｂを嵌め合わせて挿入し、端部嵌合枠７４がキー側ケース６８の下端部に当たって止まる位置まで被せるように装着する。
【００６８】
図１０は、前記携帯電話６０のキー側ケース６８にキャップ式の文字入力キーボード６２Ａを装着した状態での下端部コネクタ構造を示す部分拡大図であり、同図（Ａ）（Ｂ）は当該文字入力キーボード６２Ａのキーボード面を携帯電話６０のキー側ケース６８の正面方向に向けて装着する際の下端部コネクタ構造を示す部分拡大図、同図（Ｃ）は同キーボード面を裏面方向に向けて装着した未使用保持時の下端部コネクタ構造を示す部分拡大図である。
【００６９】
キャップ式文字入力キーボード６２Ａにおける端部嵌合枠７４の枠内底面には、その底面の中心部に突起状の接続コネクタ７４Ｃが設けられ、また同枠内のキーボード裏面側の壁面所定位置にはその内方へ向けて付勢する押さえばね７４Ｂが設けられる。
【００７０】
一方、携帯電話６０のキー側ケース６８の下端部には、その中心よりも裏面側にオフセットした位置に凹状の接続コネクタ６１Ｄが設けられる。この凹状の接続コネクタ６１Ｄには、図１０（Ａ）（Ｂ）および前記図９（Ｃ）（Ｄ）で示すように、前記キャップ式文字入力キーボード６２Ａにおける端部嵌合枠７４をその文字キー６４の配列面を携帯電話６０のキー側ケース６８の表面側に沿わせて嵌め込むのに伴い、枠内裏面側に設けられた押さえばね７４Ｂにより該嵌合枠７４の全体がキー側ケース６８の裏面方向に付勢されることで、その突起状接続コネクタ７４Ｃが先端から挿入されて接続される。
【００７１】
なお、図１０（Ｃ）および前記図９（Ａ）（Ｂ）で示すように、携帯電話６０のキー側ケース６８の下端部に対して、前記キャップ式文字入力キーボード６２Ａにおける端部嵌合枠７４をその文字キー６４の配列面を携帯電話６０のキー側ケース６８の裏面側に沿わせて嵌め込んだ際には、枠内裏面側に設けられた押さえばね７４Ｂによって該嵌合枠７４の全体がキー側ケース６８の表面方向に付勢されることで、その突起状接続コネクタ７４Ｃは前記オフセットした接続コネクタ６１Ｄに挿入されずキー側ケース６８の下端部に当接した状態で停止する。
【００７２】
そして、携帯電話６０のキー側ケース６８の下端部裏面には、図１０（Ａ）（Ｂ）および図９（Ｃ）（Ｄ）で示したように、前記キャップ式文字入力キーボード６２Ａを携帯電話６０のキー側ケース６８に表向きにして嵌め込んだ際に、その端部嵌合枠７４の枠内に設けられた押さえばね７４Ｂの先端が係止されて位置決めされる裏面位置決め突起６８Ｒが設けられ、また同キー側ケース６８の下端部表面には、図１０（Ｃ）および図９（Ａ）（Ｂ）で示したように、前記キャップ式文字入力キーボード６２Ａを携帯電話６０のキー側ケース６８に後向きにして嵌め込んだ際に、その端部嵌合枠７４の枠内に設けられた同押さえばね７４Ｂの先端が係止されて位置決めされる表面位置決め突起６８Ｈが設けられる。
【００７３】
従って、このような携帯電話６０の外部接続デバイスとして、キー側ケース６８の下端部からその使用時／未使用時共にキャップ式に装着される文字入力キーボード６２Ａを構成することで、当該外部接続デバイスの取扱い性を向上させるだけでなく、安定した接続形態を得ることができる。
【００７４】
そして、このキャップ式の文字入力キーボード（外部接続デバイス）６２Ａを使用した場合でも、前記図９（Ｄ）および図１０（Ｂ）で示したように、その文字キー６４を正面に向けて携帯電話６０に装着した場合には、当該文字入力キーボード６２Ａの接続コネクタ７４Ｃが携帯電話６０の接続コネクタ６１Ｄに接続されることで、横長にした液晶表示部１５の表示画面にその表示データが正しく正立して表示されるようその表示の方向が回転制御されるので、当該キャップ式文字入力キーボード（外部接続デバイス）６２Ａを接続一体にした状態での携帯電話６０（６０′）を最適な環境にして使用することができる。
【００７５】
なお、前記キャップ式文字入力キーボード６２Ａを携帯電話６０の下端部から嵌め込むようにした端部構造は、図９および図１０を参照して説明した端部嵌合枠７４による構成に限らず、例えば次の図１１ないし図１３の各図に示すような、コネクタカバー７４ｗを備えたコネクタ接続式の端部枠７４ｘ、向き検出器７４ｓを備えた無線接続式の端部枠７４ｙ、キャップ逃げ穴７４ｎを備えたコネクタ接続式の端部枠７４ｚなどとして構成してもよい。
【００７６】
図１１は、前記携帯電話６０のキー側ケース６８に装着されるコネクタカバー７４ｗを備えたコネクタ接続式の端部枠７４ｘを有するキャップ式文字入力キーボード６２Ａ１の構成を示す三面図であり、同図（Ａ）はその裏面図、同図（Ｂ）はその側面図、同図（Ｃ）はその正面図である。
【００７７】
この図１１におけるキャップ式文字入力キーボード６２Ａ１は、その端部枠７４ｘに設けられた突起状の接続コネクタ７４Ｃを、例えば前記図１０（Ａ）（Ｂ）で示すのと同様に携帯電話６０の下端部に設けられた凹状の接続コネクタ６１Ｄに嵌め込んで接続されるもので、この際、コネクタカバー７４ｗを携帯電話６０のキー側ケース６８の厚みに応じた嵌合枠７３ａ，７３ｂと同様に機能させることで、容易で且つ安定した装着状態を実現できる。
【００７８】
図１２は、前記携帯電話６０のキー側ケース６８に装着される向き検出器７４ｓを備えた無線接続式の端部枠７４ｙを有するキャップ式文字入力キーボード６２Ａ２の構成を示す三面図であり、同図（Ａ）はその裏面図、同図（Ｂ）はその側面図、同図（Ｃ）はその正面図である。
【００７９】
この図１２におけるキャップ式文字入力キーボード６２Ａ２は、その端部枠７４ｙに設けられた向き検出器７４ｓ（図３の各種センサ部４５参照）によって例えば携帯電話６０の下端部に設けられた図示しない正逆検出パターンが検出され、正面を向いて装着されたのか反対を向いて装着されたのかが検出されるもので、このキャップ式文字入力キーボード６２Ａ２の通信Ｉ／Ｆ４８（図３参照）はBluetooth（登録商標）などの近距離無線通信によって構成され、携帯電話（電子機器）６０の無線通信部２３（図２参照）と無線により通信接続される。
【００８０】
図１３は、前記携帯電話６０のキー側ケース６８に装着されるキャップ逃げ穴７４ｎを備えたコネクタ接続式の端部枠７４ｚを有するキャップ式文字入力キーボード６２Ａ３の構成を示す三面図であり、同図（Ａ）はその裏面図、同図（Ｂ）はその側面図、同図（Ｃ）はその正面図である。
【００８１】
この図１３におけるキャップ式文字入力キーボード６２Ａ３は、その端部枠７４ｚに設けられた突起状の接続コネクタ７４Ｃを、例えば前記図１０（Ａ）（Ｂ）で示すのと同様に携帯電話６０の下端部に設けられた凹状の接続コネクタ６１Ｄに嵌め込んで接続されるもので、この際、端部枠７４ｚと当該文字入力キーボード６２Ａ３の本体との間に設けられたキャップ逃げ穴７４ｎによって、携帯電話６０の接続コネクタ６１Ｄとの接続に伴いそのコネクタ保護キャップ（図示せず）を逃がすことができ、容易で且つ安定した装着状態を実現できる。
【００８２】
これら図１１〜図１３で示した各キャップ式文字入力キーボード（外部接続デバイス）６２Ａ１〜６２Ａ３を、例えば前記図９（Ｄ）で示したように、その文字キー６４を正面に向けて携帯電話６０に装着した場合でも、当該文字入力キーボード６２Ａの接続が携帯電話６０に検出されることで、横長にした液晶表示部１５の表示画面にその表示データが正しく正立して表示されるようその表示の方向が回転制御されるので、当該各キャップ式文字入力キーボード（外部接続デバイス）６２Ａ１〜６２Ａ３を接続一体にした状態での携帯電話６０（６０′）を最適な環境にして使用することができる。
【００８３】
なお、前記図９ないし図１３を参照して説明した外部接続デバイスであるキャップ式文字入力キーボード６２Ａ（６２Ａ１）（６２Ａ２）（６２Ａ３）は、当該文字入力キーボード６２Ａを使用する場合と未使用にする場合とで、携帯電話６０のキー側ケース６８のに対する抜き差し装着が必要になるが、次の図１４ないし図１６を参照して説明するように、キャップ式文字入力キーボード６２Ａ４のキーボード板６４Ｋが当該キーボード６２Ａ４の上辺側の嵌合枠７３ａに設けられた２軸ヒンジ７５ａ，７５ｂを介して、適宜、携帯電話６０のキー側ケース６８の裏面側に収納されたり正面側に展開されたりする構成とすることで、抜き差しの手間を省くようにしてもよい。
【００８４】
図１４は、前記携帯電話６０のキー側ケース６８に装着されるヒンジ展開型のキーボード板６４Ｋを有するキャップ式文字入力キーボード６２Ａ４の構成を示す側面図であり、同図（Ａ）はキーボード板６４Ｋの収納状態を示す図、同図（Ｂ）はキーボード板６４Ｋの展開状態を示す図、同図（Ｃ）はキーボード板６４Ｋの使用状態を示す図である。
【００８５】
図１５は、本発明の電子機器の実施形態に係る携帯電話６０とこれに装着されて使用されるヒンジ展開型キーボード板６４Ｋを有するキャップ式文字入力キーボード（外部接続デバイス）６２Ａ４を示す正面図であり、同図（Ａ）はキーボード板６４Ｋの収納状態を示す図、同図（Ｂ）はキーボード板６４Ｋの展開状態を示す図、同図（Ｃ）はキーボード板６４Ｋの使用状態を示す図である。
【００８６】
このヒンジ展開型キーボード板６４Ｋを有するキャップ式文字入力キーボード（外部接続デバイス）６２Ａ４において、前記図９および図１０を参照して説明した抜き差し型のキャップ式文字入力キーボード（外部接続デバイス）６２Ａにおける上下嵌合枠７３ａ，７３ｂ、端部嵌合枠７４、接続コネクタ７４Ｃの構成は略同様であり、携帯電話６０のキー側ケース６８下端部から文字入力キーボード６２Ａ４の嵌合枠７３ａ，７３ｂを嵌め合わせて挿入し、端部嵌合枠７４がキー側ケース６８の下端部に当接するのと共に接続コネクタ７４Ｃが接続されて止まる位置まで被せるように装着する。
【００８７】
このキャップ式文字入力キーボード６２Ａ４のキーボード板６４Ｋは、上部嵌合枠７３ａに設けられた２軸ヒンジ７５ａ，７５ｂを介して、必要に応じて、図１４（Ａ）および図１５（Ａ）に示すように、当該キャップ式文字入力キーボード６２Ａ４の背面板７６に沿って収納されたり、図１４（Ｂ）（Ｃ）、図１５（Ｂ）（Ｃ）、矢印ａ，ｂに示すように、携帯電話６０の正面側に回動展開されたりして使用される。
【００８８】
前記キーボード板６４Ｋの２軸ヒンジ７５ａ，７５ｂとは反対側の先端部には、磁石式あるいは機械係止式のロック機構７８が設けられ、その収納時と使用時とで下部嵌合枠７３ｂの裏側の枠体側面と正面側の枠体側面とに着脱自在に固定される。
【００８９】
また、前記キーボード板６４Ｋの収納時にそのロック機構７８が固定される下部嵌合枠７３ｂの裏側の枠体側面には、開閉検出器７７（図３の各種センサ部４５）が設けられる。この開閉検出器７７（４５）からの前記キーボード板６４Ｋの開閉検出信号が相互の接続コネクタ７４Ｃ→６１Ｄを介して携帯電話６０へ通知されることで、当該携帯電話６０では、前記展開型キャップ式文字入力キーボード（外部接続デバイス）６２Ａ４の使用時／未使用時を判断して、これに対応するアプリケーションプログラムの起動／停止および液晶表示部１５に対する表示データの表示の方向の回転制御を実行する。
【００９０】
図１６は、前記携帯電話６０における展開型キャップ式文字入力キーボード（外部接続デバイス）６２Ａ４との接続に伴い実行される外部機器接続処理を示すフローチャートである。
【００９１】
例えば前記図１４（Ｂ）（Ｃ）および図１５（Ｂ）（Ｃ）で示したように携帯電話６０に装着された展開型キャップ式文字入力キーボード６２Ａ４のキーボード板６４Ｋがその収納状態から使用状態へと展開されることで、開閉検出器７７（４５）により検出された開検出信号が携帯電話６０へ送信され前記キーボード板６４Ｋが開かれたと判断されると（ステップＡ１（Ｙｅｓ））、当該展開型キャップ式文字入力キーボード６２Ａ４に対して電源が供給される（自己電源を持たない場合）（ステップＡ２）。
【００９２】
すると、液晶表示部１５の表示画面に対する現在の表示データの表示方向が、前記展開型キャップ式文字入力キーボード６２Ａ４におけるキーボード板６４Ｋの展開直前の当該携帯電話６０だけでの使用に対応した表示方向としてＲＡＭ２４に記憶（記録）される（ステップＡ３）。
【００９３】
すると、前記展開型キャップ式文字入力キーボード６２Ａ４について、当該キーボード対応のアプリケーションプログラムがＲＯＭ２１内に予め記憶登録されているか否か判断され（ステップＡ４）、登録されていると判断された場合には（ステップＡ４（Ｙｅｓ））、当該文字入力キーボード対応のアプリケーションプログラムが起動されその使用環境が整えられる（ステップＡ５）。
【００９４】
すると、前記ステップＡ３において記憶された当該携帯電話６０の現在の表示データの表示方向に対して、前記展開型キャップ式文字入力キーボード６２Ａ４におけるキーボード板６４Ｋが展開された状態で、その表示方向の回転制御が必要であるか否か判断される（ステップＡ６）。
【００９５】
そして、前記図１５（Ａ）〜（Ｃ）で示したように、液晶表示部１５の表示画面に対する表示データの表示方向を右回りに９０度回転させる必要があると判断された場合には（ステップＡ６（Ｙｅｓ））、同液晶表示部１５の表示画面に対する表示データの書き込み方向が右回りに９０度回転制御される（ステップＡ７）。
【００９６】
この後、前記ステップＡ１において、展開型キャップ式文字入力キーボード６２Ａ４のキーボード板６４Ｋがその使用状態から収納状態へと閉じられることで、開閉検出器７７（４５）により検出された閉検出信号が携帯電話６０へ送信され前記キーボード板６４Ｋが閉じられたと判断されると（ステップＡ１（Ｎｏ））、当該展開型キャップ式文字入力キーボード６２Ａ４に対する電源の供給が遮断される（自己電源を持たない場合）（ステップＡ８）。
【００９７】
すると、前記展開型キャップ式文字入力キーボード６２Ａ４について、当該キーボード対応のアプリケーションプログラムがＲＯＭ２１内に予め記憶登録されているか否か判断され（ステップＡ９）、登録されていると判断された場合には（ステップＡ９（Ｙｅｓ））、現在起動中である当該文字入力キーボード対応のアプリケーションプログラムが停止される（ステップＡ１０）。
【００９８】
そして、液晶表示部１５の表示画面に対する表示データの表示方向が、前記ステップＡ３において記憶（記録）されている前記展開型キャップ式文字入力キーボード６２Ａ４におけるキーボード板６４Ｋが収納されている状態での元の表示方向に戻るよう回転制御される（ステップＡ１１）。
【００９９】
これにより、図１５（Ｃ）で示したように、展開型キャップ式文字入力キーボード６２Ａ４におけるキーボード板６４Ｋを展開して使用する場合には、種々の文字・数字・記号の大量入力が容易に行えるだけでなく、表示画面を横長にした表示部１５において種々の表示データを正しく見ることができるので、例えばメール文書の大量のやり取りやＷｅｂサイトの閲覧に適した仕様を実現することができる。
【０１００】
しかも、前記展開型キャップ式文字入力キーボード（外部接続デバイス）６２Ａ４は、携帯電話６０に装着したままでそのキーボード板６４Ｋを適宜収納して未使用の状態としたり、適宜展開して使用状態としたりできるので、前記図９ないし図１３を参照して説明した外部接続デバイスであるキャップ式文字入力キーボード６２Ａ（６２Ａ１）（６２Ａ２）（６２Ａ３）のように、その使用時と未使用時とで、携帯電話６０に対し抜き差し装着する必要なくその手間を省くことができる。
【０１０１】
なお、前記各実施形態において、電子機器である携帯情報端末１０とその外部接続デバイスである外部テンキーボード１２、外部ＱＷＥＲＴＹキーボード１４との接続位置関係や、携帯電話６０（６０′）と外部文字入力キーボード６２（６２Ａ）（６２Ａ１〜６２Ａ４）との接続位置関係は、その相互の接続コネクタ（１１Ｄ）（１１Ｌ）（１１Ｒ）（１３Ｌ）（６１Ｄ）（６３Ｌ）（７４Ｃ）や携帯電話６０（６０′）に対する嵌合枠７３ａ，７３ｂなどの接続・着脱用部材によって構造的に定まるため、その接続の有無のみ検出されれば、液晶表示部１５に対する表示データ回転制御の必要の有無およびその必要な回転方向を設定することができる。
【０１０２】
図１７は、無線による通信接続機能を有することで構造的な接続・着脱用部材を有さない携帯情報端末１０′と外部ＱＷＥＲＴＹキーボード１４′との配置位置関係を示す図であり、同図（Ａ１）（Ａ２）は携帯情報端末１０′を横向きに外部ＱＷＥＲＴＹキーボード１４′を正面にした通信未接続時の配置状態を示す図、同図（Ｂ１）（Ｂ２）は携帯情報端末１０′を縦向きに外部ＱＷＥＲＴＹキーボード１４′を正面にした通信接続時の配置状態を示す図、同図（Ｃ１）（Ｃ２）は携帯情報端末１０′を横向きに外部ＱＷＥＲＴＹキーボード１４′を正面にした通信接続時の配置状態を示す図、同図（Ｄ１）（Ｄ２）は携帯情報端末１０′を縦向きに外部ＱＷＥＲＴＹキーボード１４′を横向きにした通信接続時の配置状態を示す図である。
【０１０３】
すなわち、図１７に示すように、無線により通信接続されることで構造的な接続・着脱用部材を有さない携帯情報端末１０′と外部ＱＷＥＲＴＹキーボード１４′の場合など、その相互の配置位置関係はユーザ任意に定まる。このため、携帯情報端末１０′では方位・加速度センサ２５（図２参照）を備えて、その自己の向きや移動量を検出するのと共に、外部ＱＷＥＲＴＹキーボード１４′でも加速度・方位を検出する各種センサ部４５（図３参照）を備えてその向きや移動量を携帯情報端末１０′に通知することで、当該携帯情報端末１０′においてその相互の配置位置関係を判定することができ、これに応じて液晶表示部１５に対する表示データ回転制御の必要の有無およびその必要な回転方向を設定することができる。
【０１０４】
従って、図１７（Ａ１）（Ａ２）で示すように携帯情報端末１０′と外部ＱＷＥＲＴＹキーボード１４′が未接続の状態や図１７（Ｂ１）（Ｂ２）で示すように外部ＱＷＥＲＴＹキーボード１４′の正面から見て携帯情報端末１０′が縦向きに配置された通信接続の状態では、表示データの表示方向の回転制御が行われないのは勿論、図１７（Ｃ１）（Ｃ２）や図１７（Ｄ１）（Ｄ２）で示すように外部ＱＷＥＲＴＹキーボード１４′の正面から見て携帯情報端末１０′が横向きに配置された通信接続の状態では、表示データの表示方向が回転制御されて最適な使用環境に設定されるようになる。
【０１０５】
これにより、無線による通信接続機能を有することで構造的な接続・着脱用部材を有さない携帯情報端末１０′と外部ＱＷＥＲＴＹキーボード１４′を使用した場合であっても、外部ＱＷＥＲＴＹキーボード１４′の正面から見て携帯情報端末１０′が縦横どのような向きで配置されても、種々の文字・数字・記号の大量入力が容易に行えるだけでなく、表示部１５において種々の表示データを正しく見ることができるので、例えばメール文書の大量のやり取りやＷｅｂサイトの閲覧に適した仕様を実現することができる。
【０１０６】
なお本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【０１０７】
【図１】本発明の電子機器の実施形態に係る携帯情報端末１０の外観構成を示す図であり、同図（Ａ１）（Ａ２）は本体下端の接続コネクタ１１Ｄを介して外部テンキーボード１２左側面のコネクタ１３Ｌと接続した状態を示す正面図、同図（Ｂ１）（Ｂ２）は本体左側面の接続コネクタ１１Ｌを介して外部ＱＷＥＲＴＹキーボード１４上端のコネクタ１４Ｕと接続した状態を示す正面図。
【図２】前記携帯情報端末１０の電子回路の構成を示すブロック図。
【図３】前記携帯情報端末１０と接続して使用される外部接続デバイス（１２）（１４）の電子回路の構成を示すブロック図。
【図４】前記携帯情報端末１０における外部接続デバイス（１２）（１４）との接続に伴い実行される外部機器接続処理を示すフローチャート。
【図５】前記携帯情報端末１０に外部接続デバイス（１２）を接続した際に、表示データの回転表示制御が必要な場合と不要な場合との接続構成を対比して示す図。
【図６】本発明の電子機器の実施形態に係る折り畳み式携帯電話６０の外観構成を示す図であり、同図（Ａ）（Ｂ）は本体下端の接続コネクタ６１Ｄを介して外部文字入力キーボード６２左側面のコネクタ６３Ｌと接続した状態を示す正面図。
【図７】本発明の電子機器の実施形態に係る２軸ヒンジの折り畳み式携帯電話６０′の外観構成を示す図であり、同図（Ａ）〜（Ｆ）は本体下端の接続コネクタ６１Ｄ′を介して外部文字入力キーボード６２左側面の接続コネクタ６３Ｌと接続した状態を示す正面図。
【図８】本発明の電子機器に接続されて使用される各種の外部接続デバイスを示す図であり、同図（Ａ）は外部ＱＷＥＲＴＹキーボード１４を示す正面図、同図（Ｂ）は外部文字入力キーボードを示す正面図６２、同図（Ｃ）はトラックボールデバイス７０を示す正面図、同図（Ｄ）はタッチパッドデバイス７１を示す正面図、同図（Ｅ）は指紋認証デバイス７２を示す正面図。
【図９】本発明の電子機器の実施形態に係る携帯電話６０とこれに装着されて保持または使用されるキャップ式の文字入力キーボード（外部接続デバイス）６２Ａを示す正面図。
【図１０】前記携帯電話６０のキー側ケース６８にキャップ式の文字入力キーボード６２Ａを装着した状態での下端部コネクタ構造を示す部分拡大図であり、同図（Ａ）（Ｂ）は当該文字入力キーボード６２Ａのキーボード面を携帯電話６０のキー側ケース６８の正面方向に向けて装着する際の下端部コネクタ構造を示す部分拡大図、同図（Ｃ）は同キーボード面を裏面方向に向けて装着した未使用保持時の下端部コネクタ構造を示す部分拡大図。
【図１１】前記携帯電話６０のキー側ケース６８に装着されるコネクタカバー７４ｗを備えたコネクタ接続式の端部枠７４ｘを有するキャップ式文字入力キーボード６２Ａ１の構成を示す三面図であり、同図（Ａ）はその裏面図、同図（Ｂ）はその側面図、同図（Ｃ）はその正面図。
【図１２】前記携帯電話６０のキー側ケース６８に装着される向き検出器７４ｓを備えた無線接続式の端部枠７４ｙを有するキャップ式文字入力キーボード６２Ａ２の構成を示す三面図であり、同図（Ａ）はその裏面図、同図（Ｂ）はその側面図、同図（Ｃ）はその正面図。
【図１３】前記携帯電話６０のキー側ケース６８に装着されるキャップ逃げ穴７４ｎを備えたコネクタ接続式の端部枠７４ｚを有するキャップ式文字入力キーボード６２Ａ３の構成を示す三面図であり、同図（Ａ）はその裏面図、同図（Ｂ）はその側面図、同図（Ｃ）はその正面図。
【図１４】前記携帯電話６０のキー側ケース６８に装着されるヒンジ展開型のキーボード板６４Ｋを有するキャップ式文字入力キーボード６２Ａ４の構成を示す側面図であり、同図（Ａ）はキーボード板６４Ｋの収納状態を示す図、同図（Ｂ）はキーボード板６４Ｋの展開状態を示す図、同図（Ｃ）はキーボード板６４Ｋの使用状態を示す図。
【図１５】本発明の電子機器の実施形態に係る携帯電話６０とこれに装着されて使用されるヒンジ展開型キーボード板６４Ｋを有するキャップ式文字入力キーボード（外部接続デバイス）６２Ａ４を示す正面図であり、同図（Ａ）はキーボード板６４Ｋの収納状態を示す図、同図（Ｂ）はキーボード板６４Ｋの展開状態を示す図、同図（Ｃ）はキーボード板６４Ｋの使用状態を示す図。
【図１６】前記携帯電話６０における展開型キャップ式文字入力キーボード（外部接続デバイス）６２Ａ４との接続に伴い実行される外部機器接続処理を示すフローチャート。
【図１７】無線による通信接続機能を有することで構造的な接続・着脱用部材を有さない携帯情報端末１０′と外部ＱＷＥＲＴＹキーボード１４′との配置位置関係を示す図であり、同図（Ａ１）（Ａ２）は携帯情報端末１０′を横向きに外部ＱＷＥＲＴＹキーボード１４′を正面にした通信未接続時の配置状態を示す図、同図（Ｂ１）（Ｂ２）は携帯情報端末１０′を縦向きに外部ＱＷＥＲＴＹキーボード１４′を正面にした通信接続時の配置状態を示す図、同図（Ｃ１）（Ｃ２）は携帯情報端末１０′を横向きに外部ＱＷＥＲＴＹキーボード１４′を正面にした通信接続時の配置状態を示す図、同図（Ｄ１）（Ｄ２）は携帯情報端末１０′を縦向きに外部ＱＷＥＲＴＹキーボード１４′を横向きにした通信接続時の配置状態を示す図。
【符号の説明】
【０１０８】
１０  …携帯情報端末（電子機器）
１０′…無線接続式携帯情報端末（電子機器）
１１Ｄ、１１Ｌ、１１Ｒ…端末側接続コネクタ
１２  …外部テンキーボード（外部接続デバイス）
１３Ｌ…外部テンキーボード側接続コネクタ
１４  …外部ＱＷＥＲＴＹキーボード（外部接続デバイス）
１４′…無線接続式外部ＱＷＥＲＴＹキーボード（外部接続デバイス）
１４Ｕ、１４Ｌ…ＱＷＥＲＴＹキーボード側接続コネクタ
１５  …液晶表示部
１６  …キー入力部
１７  …テンキー
１８  …フルキー
２０  …端末ＣＰＵ
２１  …ＲＯＭ
２２  …外部通信部
２３  …無線通信部
２４  …ＲＡＭ
２５  …方位・加速度センサ
２６、３３…Ｄ／Ａ変換部
２７、３４…スピーカ
２８  …ＣＯＤＥＣ
２９  …ＡＦＥ
３０  …アンテナ
３１、４４…Ａ／Ｄ変換部
３２  …マイク
３５、４９…電池
３６、５０…外部電源
３７  …変圧・充電回路
４０  …外部デバイス側ＣＰＵ
４１  …トライステートバッファ
４２  …キーマトリクス
４３  …ポインタ
４５  …各種センサ部
４６  …認証デバイス
４７  …セキュリティデバイス
４８  …通信Ｉ／Ｆ
５１  …変圧回路
６０、６０′…携帯電話（電子機器）
６１Ｄ…電話側接続コネクタ
６２  …外部文字入力キーボード（外部接続デバイス）
６２Ａ、６２Ａ１〜６２Ａ３…キャップ式文字入力キーボード（外部接続デバイス）
６２Ａ４…展開型キャップ式文字入力キーボード（外部接続デバイス）
６３Ｌ…文字入力キーボードの接続コネクタ
６４  …文字キー
６４Ｋ…キーボード板
６５  …表示部側ケース
６６  …第１ヒンジ
６７  …第２ヒンジ
６８  …キー側ケース
６８Ｒ…裏面位置決め突起
６８Ｈ…表面位置決め突起
７０  …トラックボールデバイス（外部接続デバイス）
７０Ｌ…トラックボールデバイスの接続コネクタ
７１  …タッチパッドデバイス（外部接続デバイス）
７１Ｌ…タッチパッドデバイスの接続コネクタ
７２  …指紋認証デバイス（外部接続デバイス）
７２Ｌ…指紋認証デバイスの接続コネクタ
７３ａ，７３ｂ…嵌合枠
７４  …端部嵌合枠
７４Ｂ…押さえばね
７４Ｃ…突起状接続コネクタ
７４ｎ…キャップ逃げ穴
７４ｓ…向き検出器
７４ｗ…コネクタカバー
７４ｘ…コネクタ接続式端部枠
７４ｙ…無線接続式の端部枠
７４ｚ…キャップ逃げ穴付きコネクタ接続式端部枠
７５ａ，７５ｂ…２軸ヒンジ
７６  …背面板
７７  …開閉検出器
７８  …ロック機構
【図１】
2008186427.tif 000003
【図２】
2008186427.tif 000004
【図３】
2008186427.tif 000005
【図４】
2008186427.tif 000006
【図５】
2008186427.tif 000007
【図６】
2008186427.tif 000008
【図７】
2008186427.tif 000009
【図８】
2008186427.tif 000010
【図９】
2008186427.tif 000011
【図１０】
2008186427.tif 000012
【図１１】
2008186427.tif 000013
【図１２】
2008186427.tif 000014
【図１３】
2008186427.tif 000015
【図１４】
2008186427.tif 000016
【図１５】
2008186427.tif 000017
【図１６】
2008186427.tif 000018
【図１７】
2008186427.tif 000019